(57)【要約】【課題】  通信端末の使用者宛に電子メールが送信された時、通信端末が通話に使用されている場合、通信端末の使用者に対して電子メールが送信された旨を報知するのを制限する。【解決手段】  携帯電話機５００は、電話番号、電子メールアドレスに対応付けて重要度を記憶している。携帯電話機５００が通話に使用されている最中に、メール着信通知を受信すると、通話相手の重要度と電子メールの送信者の重要度とを不揮発性メモリから読み出す。携帯電話機は読み出した重要度を比較し、電子メールの送信者の重要度が高い場合は、携帯電話機５００の使用者に、メール着信通知を受信したことを報知する。【選択図】        図１
2005175832.tif 000002
【特許請求の範囲】
【請求項１】
使用者による通話の最中に前記使用者を宛先とした電子メールの着信を受けることができる通信端末において、
通信相手を一意に識別するための識別子と前記通信相手の重要度とを対応付けて記憶する記憶手段と、
前記通話の相手である通話相手の識別子を取得する第１の取得手段と、
前記電子メールの送信元の識別子を取得する第２の取得手段と、
前記着信を受けた場合に、前記第１の取得手段により取得された前記通話相手の識別子と前記第２の取得手段により取得された前記送信元の識別子と前記記憶手段の記憶内容とに基づいて、前記通話相手の重要度と前記電子メールの送信元の重要度とを求め、どちらの重要度が高いかを判断する判断手段と、
前記判断手段が前記送信元の重要度の方が高いと判断した場合に前記着信を報知する報知手段と
を有することを特徴とする通信端末。
【請求項２】
前記記憶手段は、さらに時間帯を示すデータ毎に重要度を記憶し、
現在時刻を得る時刻取得手段をさらに有し、
前記判断手段は、前記時刻取得手段にて得た時刻に応じて、前記記憶手段から前記使用者の通話相手の重要度と前記電子メールの送信者の重要度とを読み出すこと
を特徴とする請求項１に記載の通信端末。
【請求項３】
前記記憶手段は、さらに位置を示すデータ毎に重要度を記憶し、
現在位置を得る位置取得手段をさらに有し、
前記判断手段は、前記位置取得手段にて得た位置に応じて、前記記憶手段から前記使用者の通話相手の重要度と前記電子メールの送信者の重要度とを読み出すこと
を特徴とする請求項１に記載の通信端末。
【請求項４】
使用者の指示が入力される指示入力手段と、
前記通話手段を用いて通話が行われている最中に、前記指示入力手段にて前記通話相手の重要度を指定する指示が入力された時、前記通話相手の重要度を前記指示入力手段にて指定された重要度に設定して前記記憶部に記憶させる第１の設定手段と
をさらに有すること特徴とする請求項１に記載の通信端末。
【請求項５】
使用者の指示が入力される指示入力手段と、
前記通話手段を用いて通話が行われている最中に、前記指示入力手段にて前記通話相手の重要度を指定する指示が入力された時、前記通話手段を用いた通話が終了するまでの間は、前記通話相手の重要度を前記指示入力手段にて指定された重要度に一時的に設定する第２の設定手段と
をさらに有すること特徴とする請求項１に記載の通信端末。
【請求項６】
使用者による通話の最中に前記使用者を宛先とした電子メールの着信を受けることができるコンピュータ装置を、
通信相手を一意に識別するための識別子と前記通信相手の重要度とを対応付けて記憶する記憶手段と、
前記通話の相手である通話相手の識別子を取得する第１の取得手段と、
前記電子メールの送信元の識別子を取得する第２の取得手段と、
前記着信を受けた場合に、前記第１の取得手段により取得された前記通話相手の識別子と前記第２の取得手段により取得された前記送信元の識別子と前記記憶手段の記憶内容とに基づいて、前記通話相手の重要度と前記電子メールの送信元の重要度とを求め、どちらの重要度が高いかを判断する判断手段と、
前記判断手段が前記送信元の重要度の方が高いと判断した場合に前記着信を報知する報知手段
として機能させるためのプログラム。
【発明の詳細な説明】
【技術分野】
【０００１】
本発明は、通信端末の使用者に対して電子メールの着信を報知する技術に関する。
【背景技術】
【０００２】
ＩＭＴ−２０００（International Mobile Telecommunications-2000）に準拠した移動体通信網は、携帯電話機に対して通話サービスとデータ通信サービスを同時に提供することが可能な、マルチコールサービスと呼ばれる通信サービスを提供することができる。携帯電話機の使用者は、ＩＭＴ−２０００に準拠し、且つマルチコールサービスを利用可能である携帯電話機を使用することにより、例えば、通話中に携帯電話機にて電子メールを受信したり、ＷＷＷ（World Wide Web）ブラウザを用いて様々なコンテンツを閲覧したりすることが可能となった。
携帯電話機では、通話が行われている最中にデータ通信を行うことが可能となると、携帯電話機の使用者宛に送信された電子メールを格納するためのメールボックスに電子メールが格納されたことを知らせるための着信通知（以下、メール着信通知とする）を、通話中に受けることが可能となる。携帯電話機は、メール着信通知を受けた場合には、メール着信通知を受けたことを着信音や振動などによって、携帯電話機の使用者へ報知している。
【０００３】
ところで、通話相手や通話の内容によっては、着信音などによって邪魔されたくない通話がある。メール着信通知を受けたことを着信音や振動などによって携帯電話機の使用者へ報知するようにしていると、通話相手や通話内容が重要である時に、携帯電話機が通話中にメール着信通知を受けた際、着信音や振動用のモータが発生する音が通話中の音声を遮って通話を妨げてしまう。
【０００４】
このような問題を解決する技術の一つとして、例えば特許文献１に記載されているように、通話中には音による報知をせず、ＬＥＤを点灯させて報知する方法がある。この技術によれば、音により通話が妨げられることがなくなる。
【特許文献１】特開２００１−２１１４７８号公報
【発明の開示】
【発明が解決しようとする課題】
【０００５】
しかしながら、ＬＥＤ点灯による報知では、携帯電話機の使用者は、携帯電話機を耳にあてて使用しているので、携帯電話機に設けられているＬＥＤが点灯していることが分かりにくく、メール着信通知を受けたことを見逃してしまう虞がある。電子メールの内容が急を要する内容であったり重要な内容である場合、メール着信通知を見逃すと、メールの受信者が不利益を被る虞がある。
【０００６】
本発明は、上述した事情に鑑みてなされたものであり、通話中に電子メールの着信を受けることが可能な通信端末において、重要な通話を妨げることなく、かつ重要な電子メールの着信を迅速に報知することができる技術を提供することを目的とする。
【課題を解決するための手段】
【０００７】
本発明は、上述した課題を解決するために、使用者による通話の最中に前記使用者を宛先とした電子メールの着信を受けることができる通信端末において、通信相手を一意に識別するための識別子と前記通信相手の重要度とを対応付けて記憶する記憶手段と、前記通話の相手である通話相手の識別子を取得する第１の取得手段と、前記電子メールの送信元の識別子を取得する第２の取得手段と、前記着信を受けた場合に、前記第１の取得手段により取得された前記通話相手の識別子と前記第２の取得手段により取得された前記送信元の識別子と前記記憶手段の記憶内容とに基づいて、前記通話相手の重要度と前記電子メールの送信元の重要度とを求め、どちらの重要度が高いかを判断する判断手段と、前記判断手段が前記送信元の重要度の方が高いと判断した場合に前記着信を報知する報知手段とを有する通信端末を提供する。
また本発明は、使用者による通話の最中に前記使用者を宛先とした電子メールの着信を受けることができるコンピュータ装置を、通信相手を一意に識別するための識別子と前記通信相手の重要度とを対応付けて記憶する記憶手段と、前記通話の相手である通話相手の識別子を取得する第１の取得手段と、前記電子メールの送信元の識別子を取得する第２の取得手段と、前記着信を受けた場合に、前記第１の取得手段により取得された前記通話相手の識別子と前記第２の取得手段により取得された前記送信元の識別子と前記記憶手段の記憶内容とに基づいて、前記通話相手の重要度と前記電子メールの送信元の重要度とを求め、どちらの重要度が高いかを判断する判断手段と、前記判断手段が前記送信元の重要度の方が高いと判断した場合に前記着信を報知する報知手段として機能させるためのプログラムを提供する。
【０００８】
本発明によれば、通信端末は、使用者により通話に用いられている最中に、使用者を宛先とする電子メールの着信を受けると、使用者が通話を行っている相手を一意に識別するための識別子と、電子メールの送信相手を一意に識別するための識別子を取得し、通話相手と電子メールの送信相手とでいずれの重要度が高いか判断し、電子メールの送信相手の重要度が高いと判断した場合に、着信通知を受けたことを使用者に知らせる。
【発明の効果】
【０００９】
本発明によれば、通信端末を用いて通話が行われている最中に通信端末の使用者宛に電子メールが送信された時、通信端末の使用者に対して電子メールの着信が報知されるのが制限される。
【発明を実施するための最良の形態】
【００１０】
以下、図面を参照して本発明に係る実施形態について説明する。
【００１１】
［１．実施形態の構成］
［１−１．全体構成］
図１は、本発明の実施形態に係わる通信システム１０の全体構成を例示する図である。通信システム１０には多数の携帯電話機、メールサーバおよびパーソナルコンピュータ（以下、ＰＣとする）が存在するが、図面が繁雑になるのを防ぐために、図１には、携帯電話機５００−１〜携帯電話機５００−３、一つのメールサーバ３００および一つのＰＣ１００のみを示す。
【００１２】
ＰＣ１００は、一般的なデスクトップ型のコンピュータであり、インターネット２００に接続されている。ＰＣ１００は、パケット通信機能や電子メールを送受信する機能を有している。ＰＣ１００は、電子メールを送受信する際に用いられるＳＭＴＰ（Simple Mail Transfer Protocol）やＰＯＰ（Post Office Protocol）などのプロトコルを用いて電子メールを送受信する。ＰＣ１００には、ＰＣ１００の使用者に付与された電子メールアドレス「shiro@xyz.co.jp」が記憶されている。
【００１３】
メールサーバ３００は、一般のサーバと同様の構成要素（ＣＰＵ、ＲＯＭ、ＲＡＭ、記憶部、通信インターフェースなど。いずれも図示略）を有しており、インターネット２００に接続されている。メールサーバ３００のドメイン名は、「xyz.co.jp」である。メールサーバ３００は、ＰＣ１００から送信された電子メールを、宛先として指定された電子メールアドレスのドメイン名で指定されるメールサーバに配送する機能を有している。またメールサーバ３００は、ＰＣ１００の使用者に付与された電子メールアドレスを宛先として送信された電子メールを保存し、保存した電子メールをＰＣ１００からの要求に応じてＰＣ１００へ送信する機能を有している。
【００１４】
移動体通信網４００は、例えばＩＭＴ−２０００に準拠し、通信方式としてＷ−ＣＤＭＡ（Wideband-Code Division Multiple Access）を用いる通信網である。移動体通信網４００は、移動体通信網４００を運用する通信事業者と加入契約を行った者が所有する携帯電話機に対して通話サービスやパケット通信を用いたデータ通信サービスおよびマルチコールサービスを提供する。移動体通信網４００は、携帯電話機と無線通信を行う無線基地局と、無線基地局に接続された交換機と、交換機および固定電話網に接続された関門交換機と（いずれも図示略）、関門交換機およびインターネット２００に接続されたゲートウェイサーバ４１０と、加入者データベース４２０と、網内メールサーバ４３０とを有している。移動体通信網４００は、電子メールを送受信可能でありインターネット２００に接続されている通信端末と携帯電話機との間で行われる電子メールの授受を、パケット通信により中継する。
【００１５】
携帯電話機５００−１〜携帯電話機５００−３は（以下、特に個々の携帯電話機を区別する必要のない場合は、携帯電話機５００と略称する）、図示を省略した使用者が所有する携帯電話機であり、移動体通信網４００が提供する様々な通信サービス受けることができる。携帯電話機５００は、移動体通信網４００と同様にＩＭＴ−２０００に準拠し、通信方式としてＷ−ＣＤＭＡを用いる携帯電話機であり、通話中にデータ通信を行うことことができるマルチコール機能を有している。
【００１６】
［１−２．パーソナルコンピュータの構成］
ＰＣ１００は、ＰＣ１００の各部を制御するＣＰＵ（Central Processing Unit）と、ＰＣ内の各部が正常に動作しているか検査したり初期化する機能を有するＢＩＯＳ（Basic Input Output System）を記憶したＲＯＭ（Read Only Memory）と、ＣＰＵの作業エリアとして使用されるＲＡＭ（Random Access Memory）とを有している（いずれも図示略）。また、ＰＣ１００は、マウスやキーボードなどの操作部と、ＯＳ（Operating System）プログラムや電子メールを送受信する機能を有する電子メールプログラムなどを記憶したハードディスク装置と、ＰＣ１００を操作するためのメニュー画面などが表示される液晶ディスプレイと液晶ディスプレイを駆動させるための駆動回路を有する表示部と、インターネットを利用した通信を行うための通信インターフェースとを有している（いずれも図示略）。
【００１７】
ＰＣ１００では、ＰＣ１００の使用者により電源が入れられると、ＣＰＵがＲＯＭからＢＩＯＳを読み出して実行し、ＰＣ内各部の動作チェックと初期化を行う。ＰＣ１００では、ＰＣ内各部の初期化が終了すると、ＣＰＵがハードディスク装置からＯＳプログラムを読み出して実行する。ＰＣ１００では、ＯＳプログラムが実行されると、ＰＣ１００の使用者がマウスやキーボードなどに対して行った操作と、表示部に表示されている画面とに基づいて使用者の指示が特定され、この指示に応じた処理が行われる。
【００１８】
ＰＣ１００の使用者が、操作部を用いて電子メールプログラムの実行を指示した場合には、ＰＣ１００では、ＣＰＵが電子メールプログラムをハードディスク装置から読み出して実行する。ＰＣ１００では、実行中の電子メールプログラムに対する指示が操作部にてＰＣ１００の使用者により入力されると、ＰＣ１００の使用者が操作部に対して行った操作と表示部に表示されている画面とに基づいて使用者の指示が特定され、この指示に応じた処理が行われる。ＰＣ１００の記憶部に記憶されている電子メールプログラムは、ＳＭＴＰやＰＯＰなど電子メールを送受信する際に用いられるプロトコルに従って電子メールを送受信する機能を有している。ＰＣ１００の使用者が、電子メールの送信や受信を行う旨の指示を操作部を用いて入力すると、ＰＣ１００は、ＳＭＴＰやＰＯＰに従って電子メールの送受信を行う。
【００１９】
［１−３．移動体通信網の構成］
［１−３−１．ゲートウェイサーバ］
ゲートウェイサーバ４１０は、インターネット２００と、移動体通信網４００とを相互接続するものであり、ネットワーク間で異なる通信プロトコルの変換を行う。具体的には、ゲートウェイサーバ４１０は、インターネット２００と移動体通信網４００との間でパケット通信が行われる際に、移動体通信網４００内で使用されるプロトコルと、インターネット等の他のネットワークにて標準で使用されるＴＣＰ／ＩＰとの相互変換を行う。
【００２０】
［１−３−２．加入者データベース］
加入者データベース４２０は、移動体通信網４００を運用する通信事業者と移動体通信網４００の利用に関する契約を行った加入契約者に関するデータを記憶するデータベースであり、ゲートウェイサーバ４１０に接続されている。加入者データベース４２０には、図２に例示したように、加入契約者の氏名に対応づけて、加入契約者が所有する携帯電話機５００を識別するための端末識別子、加入契約者が所有する携帯電話機５００の電話番号、加入契約者の住所、移動体通信網４００を運用する通信事業者が加入契約者に付与した電子メールアドレスなどのデータが加入契約者に関するデータとして記憶されている。
【００２１】
［１−３−３．網内メールサーバ］
網内メールサーバ４３０は、一般のサーバと同様の構成要素を有しており、ゲートウェイサーバ４１０に接続されている。また、網内メールサーバ４３０は、図１に示したように記憶部４３１を有している。網内メールサーバのドメイン名は「abc.co.jp」である。
【００２２】
記憶部４３１は、例えばハードディスク装置など、データを永続的に記憶する記憶装置（図示略）を有している。記憶部４３１には、電子メールを記憶しておくための記憶領域であるメールボックスが、電子メールアドレス毎に確保されている。
【００２３】
網内メールサーバ４３０は、携帯電話機５００から送信された電子メールを、宛先として指定された電子メールアドレスのドメイン名で指定されるメールサーバへ送る機能を有している。また、網内メールサーバ４３０は、携帯電話機５００の使用者に付与された電子メールアドレス宛てに送信された電子メールをメールボックスに格納し、電子メールをメールボックスに格納したことを知らせるメール着信通知を携帯電話機５００へ送出したり、保存した電子メールを携帯電話機５００からの要求に応じて携帯電話機５００へ送信したりする機能を有している。
【００２４】
網内メールサーバ４３０は、電子メールを受信すると、電子メールの宛先として指定されている電子メールアドレスを、受信した電子メールから抽出する。網内メールサーバ４３０は、抽出した電子メールアドレスのドメイン名を参照し、ドメイン名が網内メールサーバ４３０のドメイン名でないと判断した場合には、ドメイン名で指定されるメールサーバへ受信した電子メールを送信する。
【００２５】
網内メールサーバ４３０は、ドメイン名が網内メールサーバ４３０のドメイン名であると判断した場合には、受信した電子メールを、抽出した電子メールアドレスで指定されるメールボックスに格納する。網内メールサーバ４３０は、電子メールをメールボックスに格納すると、電子メールの送信者を示す電子メールアドレスを、格納した電子メールから抽出する。網内メールサーバ４３０は、送信者を示す電子メールアドレスを抽出すると、受信した電子メールの宛先として指定された電子メールアドレスを付与されている者へ、メールボックスに電子メールが格納されたことを知らせるためのメール着信通知を生成する。このメール着信通知には、電子メールの送信者を示す電子メールアドレスが内包される。
【００２６】
網内メールサーバ４３０は、メール着信通知を生成した後、メール着信通知の送出先となる携帯電話機５００を特定するために、電子メールの宛先として指定された電子メールアドレスをキーにして加入者データベース４２０を検索する。網内メールサーバ４３０は、該当する電子メールアドレスを加入者データベース内に見つけると、この電子メールアドレスに対応づけて記憶されている、携帯電話機５００を識別するための端末識別子を加入者データベース４２０から読み出す。網内メールサーバ４３０は、端末識別子を読み出すと、この端末識別子で識別される携帯電話機５００を宛先として、生成したメール着信通知を送出する。
【００２７】
［１−４．携帯電話機の構成］
図３は、携帯電話機５００のハードウェア構成を例示する図である。図３に示したように、アンテナ５０３を除く携帯電話機５００の各部は、バス５０１に接続されている。携帯電話機５００の各部は、このバス５０１を介して各部間でデータの授受を行う。
【００２８】
通信部５０２は、通信インターフェースとしての機能を有しており、ＣＰＵ５１０の制御の下、通信部５０２に接続されているアンテナ５０３を介して、移動体通信網４００を構成している無線基地局との間で無線通信を行う。通信部５０２は、音声通信とデータ通信を同時に行うことが可能であり、デジタル化された音声信号や、データ通信で用いられるデータの送受信を行う。通信部５０２は、無線基地局から送信されたデジタル化された音声信号やデータを受信すると、音声信号を通話部５０４へ、データをＣＰＵ５１０へ出力する。通信部５０２は、ＣＰＵ５１０から出力されたデータが入力されると、このデータを無線基地局へ送信する。通信部５０２は、通話部５０４から出力されたデジタル化された音声信号が入力されると、この音声信号を無線基地局へ送信する。
【００２９】
通話部５０４は、図示を省略したマイク、スピーカを有している。通話部５０４は、マイクに音声が入力されると、入力された音声をデジタル化した音声信号を生成し、この音声信号を通信部５０２へ出力する。また、通話部５０４では、通信部５０２から出力されたデジタル化された音声信号が入力されると、この音声信号がアナログ信号に変換され、スピーカへ出力される。
【００３０】
操作部５０５は、図示を省略したテンキーや操作指示などを入力するための複数のキーを有している。携帯電話機５００のユーザが、操作部５０５を操作すると、ユーザの操作に応じて操作内容を示す信号が操作部５０５からＣＰＵ５１０へ出力される。表示部５０６は、例えば図示を省略した液晶表示パネルおよび液晶表示パネルの表示制御を行う制御回路を有しており、ＣＰＵ５１０の制御の下、文字やグラフィック画面、携帯電話機５００を操作するためのメニュー画面などを液晶ディスプレイに表示する。
【００３１】
不揮発性メモリ５０７は、携帯電話機５００を制御するためのデータや、携帯電話機５００の使用者が通話を行ったり電子メールの授受を行ったりする相手の電話番号や電子メールアドレスを記憶したアドレス帳テーブルを記憶している。また、不揮発性メモリ５０７は、携帯電話機５００の使用者に付与された電子メールアドレスを記憶している。
【００３２】
ＲＯＭ５０８には、ＣＰＵ５１０により実行される各種プログラムが記憶されており、例えば、ＩＰＬ（Initial Program Loader）、ＣＰＵおよび携帯電話機各部の初期化を行う初期化プログラム、携帯電話機５００の全体を制御するＯＳ（Operating System）プログラム、電子メールを送受信するための電子メールプログラム、氏名、電話番号、電子メールアドレスを対応付けて記憶するアドレス帳プログラムなどが記憶されている。ＲＡＭ５０９は、ＣＰＵ５１０の作業エリアとして使用され、ＣＰＵ５１０が実行するプログラムが使用するデータが一時的に記憶される。
【００３３】
ＣＰＵ５１０は、携帯電話機５００の各部を制御するものである。携帯電話機５００では、図示を省略した電源が入れられると、電源が入れられたことを契機としてＣＰＵ５１０が、ＲＯＭ５０８からＩＰＬを読み出して実行する。ＣＰＵ５１０は、ＩＰＬを実行すると、ＲＯＭから初期化プログラムを読み出して実行し、ＣＰＵ５１０の初期化および携帯電話機５００各部の初期化を行う。ＣＰＵ５１０は、初期化プログラムの実行を終了するとＲＯＭ５０８からＯＳプログラムを読み出し実行する。
【００３４】
ＯＳプログラムを実行しているＣＰＵ５１０は、入力された信号に応じた処理を行う。例えば、携帯電話機５００の使用者が、操作部５０５を操作すると、ＯＳプログラムを実行しているＣＰＵ５１０は、使用者の操作に応じて操作部５０５から出力される信号と表示部５０６に表示されている画面とに基づいて使用者の指示を特定し、使用者の指示に応じた処理を行う。また、通信部５０２から出力されたデータが入力されると、入力された信号に応じた処理を行う。
【００３５】
［１−４−１．通話開始時の処理］
携帯電話機５００は、通話が開始される際に、携帯電話機５００の使用者が通話している相手に付与された電話番号を記憶する機能を有している。
【００３６】
携帯電話機５００の使用者が、通話相手となる者に付与された電話番号と、通話を開始する旨の指示の入力を操作部５０５を用いて行うと、ＯＳプログラムが実行されているＣＰＵ５１０は、通信部５０２を制御し、入力された電話番号を付与された者が所有する電話機への発呼を行う。ＣＰＵ５１０は、発呼を行う際に、携帯電話機の使用者が入力した電話番号をＲＡＭ５０９に記憶する。
【００３７】
携帯電話機５００の使用者が、他の携帯電話機または固定電話機からの発呼に応答して通話を開始する場合には、ＯＳプログラムを実行しているＣＰＵ５１０は、移動体通信網４００が提供する発信者番号通知サービスにより携帯電話機５００に通知される、発呼元の電話機を所有する者に付与された電話番号を取得し、取得した電話番号をＲＡＭ５０９に記憶する。
【００３８】
［１−４−２．重要度の設定機能］
ＲＯＭ５０８に記憶されているアドレス帳プログラムは、氏名と電話番号と電子メールアドレスとを対応付けて不揮発性メモリ５０７に記憶されているアドレス帳テーブルに格納する。また、アドレス帳プログラムは、電話番号で識別される者や、電子メールアドレスで識別される者の重要度を設定し、設定した重要度を、氏名、電話番号、電子メールアドレスに対応付けてアドレス帳テーブルに格納する機能を有している。
【００３９】
図４は、アドレス帳プログラムが起動された時に表示部５０６に表示される画面を例示した図である。携帯電話機５００の使用者が、図４に示した画面に示されている、「データの登録」ボタンをクリックする操作を行うと、携帯電話機５００の表示部５０６に、図５に例示したように、データの登録を行うための画面が表示される。
【００４０】
携帯電話機５００の使用者が、図５に示した画面が表示された後、氏名を入力するためのテキストボックスＢＸ１、電話番号を入力するためのテキストボックスＢＸ２、電子メールアドレスを入力するためのテキストボックスＢＸ３に、データを入力する操作を行うと、入力されたデータが各々のテキストボックス内に表示される。携帯電話機５００の使用者が、重要度を入力するためのテキストボックスＢＸ４に重要度を示す数字を入力する操作を行うと、入力した数字が、重要度を入力するためのテキストボックスに表示される。重要度を示す数字は、数が大きい程、重要度が高いことを示す。
【００４１】
携帯電話機５００の使用者が、データの登録を行うための画面に表示されている、「登録」ボタンをクリックする操作を行うと、各々のテキストボックスに入力されたデータが対応づけられて、不揮発性メモリ５０７に記憶されているアドレス帳テーブルに格納される。具体的には、図６に示したように、氏名フィールドＦ１のセルには、氏名を入力するためのテキストボックスに入力されたデータが格納される。電話番号フィールドＦ２のセルには、電話番号を入力するためのテキストボックスに入力されたデータが格納される。電子メールアドレスフィールドＦ３のセルには、電子メールアドレスを入力するためのテキストボックスに入力されたデータが格納される。重要度フィールドＦ４のセルには、重要度を入力するためのテキストボックスに入力されたデータが格納される。
【００４２】
［１−４−３．メール着信通知を受けた時の処理］
次に、携帯電話機５００が通話に用いられている最中に、メール着信通知を受けた時の処理について、図７に示したフローチャートを用いて説明する。
【００４３】
ＯＳプログラムが実行されているＣＰＵ５１０は、メール着信通知を受けると、メール着信通知に内包されている、電子メールの送信者を示す電子メールアドレスを抽出する（ステップＳＡ１）。次にＣＰＵ５１０は、不揮発性メモリ５０７に記憶されているアドレス帳テーブルに、抽出した電子メールアドレスが格納されているか検索する（ＳＡ２）。ＣＰＵ５１０は、抽出した電子メールアドレスをアドレス帳テーブルの中から見つけられなかった場合には（ＳＡ３：ＮＯ）、電子メールを送信してきた者の重要度を０とする（ＳＡ４）。
ＣＰＵ５１０は、ステップＳＡ３で「ＹＥＳ」と判断した場合には、検索した電子メールアドレスに対応付けられている重要度を読み出す（ＳＡ５）。
【００４４】
次にＣＰＵ５１０は、携帯電話機５００の使用者が通話している相手に付与されている電話番号を取得する。具体的には、携帯電話機５００の使用者が発呼を行うことにより通話が開始された場合には、発呼時にＲＡＭ５０９に記憶された、通話相手となる者の電話番号をＲＡＭ５０９から読み出す。携帯電話機５００の使用者が、他の携帯電話機や固定電話機からの発呼に応答して通話を開始した場合には、移動体通信網４００が提供している発信者番号通知サービスを利用して取得されＲＡＭ５０９に記憶された、発呼元の電話機の電話番号を読み出す（ＳＡ６）。
【００４５】
次にＣＰＵ５１０は、ＲＡＭ５０９から読み出した電話番号が、アドレス帳テーブルに格納されているか検索する（ＳＡ７）。ＣＰＵ５１０は、電話番号をアドレス帳テーブルに見つけられなかった場合には（ＳＡ８：ＮＯ）、携帯電話機５００の使用者が通話している相手の重要度を最も低い「０」とする（ＳＡ９）。ＣＰＵ５１０は、ステップＳＡ８で「ＹＥＳ」と判断した場合には、検索した電話番号に対応付けられている重要度をアドレス帳テーブルから読み出す（ＳＡ１０）。
【００４６】
次にＣＰＵ５１０は、アドレス帳テーブルから読み出した重要度を用いて、携帯電話機５００の使用者が通話している相手と、電子メールを送信してきた者とどちらが重要かを比較する（ＳＡ１１）。
【００４７】
ＣＰＵ５１０は、携帯電話機５００の使用者が通話している相手の重要度が、電子メールを送信してきた者の重要度より低いと判断した場合には（ＳＡ１１：ＹＥＳ）、通話部５０４を制御して、メール着信通知を受けた旨をスピーカから音で報知し、メール着信通知を受けた時の処理を終了する。ＣＰＵ５１０は、通話相手の重要度の方が高いと判断した場合には（ＳＡ１１：ＮＯ）、メール着信通知を受けた旨を報知しないでメール着信通知を受けた時の処理を終了する。
【００４８】
このように、携帯電話機５００は、携帯電話機５００を用いて通話が行われている最中にメール着信通知を受けた時、メール着信通知を受けた旨を携帯電話機５００の使用者に対して報知するのを制限する機能を有している。
【００４９】
［１−４−４．電子メールの送受信機能］
ＲＯＭ５０８に記憶されている電子メールプログラムは、電子メールの送受信を行う機能を有している。
【００５０】
ＣＰＵ５１０が、電子メールプログラムを実行すると、表示部５０６が制御され、図８に例示したメニュー画面が表示部５０６に表示される。携帯電話機５００の使用者が、操作部５０５を操作して、「メールの送信」ボタンをクリックする操作を行うと、図９に例示した画面が表示される。携帯電話機５００の使用者が、操作部５０５を用いて、電子メールの本文と電子メールの宛先を示す電子メールアドレスの入力を行うと、入力された電子メール本文と電子メールアドレスが、ＲＡＭ５０９に一時的に格納される。ＣＰＵ５１０は、表示部５０６を制御し、使用者により入力された電子メールの本文と電子メールの送信先を示す電子メールアドレスを表示部５０６の液晶ディスプレイに表示させる。
【００５１】
携帯電話機５００のユーザが、図９に示した「送信」ボタンをクリックする操作を行うと、ＣＰＵ５１０は、ＲＡＭ５０９に一時的に格納された、電子メール本文と、電子メールアドレスと、不揮発性メモリ５０７に記憶されている携帯電話機５００の使用者に付与された電子メールアドレスとを内包する電子メールを生成し、生成した電子メールを通信部５０２を制御して送信する。
【００５２】
携帯電話機５００の使用者が、表示部５０６に図８に示した画面が表示されている時に、操作部５０５を操作して、「メールの受信」ボタンをクリックする操作を行うと、ＣＰＵ５１０は、網内メールサーバ４３０のメールボックスに格納されている電子メールを取得するための、電子メール取得要求を生成し、生成した電子メール取得要求を通信部５０２を制御して送信する。
【００５３】
ＣＰＵ５１０は、電子メール取得要求への応答として網内メールサーバ４３０から送信される電子メールを受信すると、受信した電子メールを不揮発性メモリ５０７に記憶させる。ＣＰＵ５１０は、受信した電子メールを不揮発性メモリ５０７に記憶させると、電子メールの本文を表示部５０６を制御して表示させる。
【００５４】
［２．動作例］
次に、携帯電話機５００−１の使用者が、携帯電話機５００−１を用いて通話を行っている最中にメール着信通知を受けた時の動作例について、図１０に示すシーケンス図を用いて説明する。
【００５５】
なお、携帯電話機５００−１に記憶されているアドレス帳テーブルには、図６に示したようにデータが格納されているものとする。また、携帯電話機５００−２およびＰＣ１００では、電子メールプログラムが既に実行され、電子メールを送信するための画面が表示されているものとする。
【００５６】
携帯電話機５００−１の使用者が、携帯電話機５００−３の使用者に付与された電話番号「０＊０−５５５５−６６６６」を入力した後、通話を開始する旨の指示を操作部５０５を用いて入力すると、操作内容を示す信号が操作部５０５からＣＰＵ５１０へ出力される。ＣＰＵ５１０は、操作内容を示す信号が入力されると、通信部５０２を制御し、電話番号「０＊０−５５５５−６６６６」で識別される携帯電話機５００−３への発呼を行う。携帯電話機５００−１のＣＰＵ５１０は、発呼を行ったことを契機として、発呼を行った際に指定した電話番号「０＊０−５５５５−６６６６」をＲＡＭ５０９に記憶する。
【００５７】
携帯電話機５００−１にて発呼が行われると、移動体通信網４００から携帯電話機５００−３へ着信信号が送信される。携帯電話機５００−３にて、着信信号が受信されると、携帯電話機５００−３のＣＰＵ５１０は、通話部５０４を制御して、呼び出し音を発生させる。携帯電話機５００−３の使用者が、呼び出し音に応答して、通話を開始する旨の指示を操作部５０５を用いて入力すると、ＣＰＵ５１０では、呼び出し応答信号が生成される。生成された呼び出し応答信号は、携帯電話機５００−３から送信され、移動体通信網４００にて受信される。
【００５８】
移動体通信網４００は、呼び出し応答信号を受信すると、受信した呼び出し応答信号を携帯電話機５００−１へ送信する。携帯電話機５００−１にて、呼び出し応答信号が受信されると、回線が接続され通話が開始される（ステップＳ１０１）。
【００５９】
携帯電話機５００−２の使用者が、携帯電話機５００−１の使用者へ伝えたいことを、図９に示した画面のメール本文を入力するためのテキストボックスに操作部５０５を用いて入力し、携帯電話機５００−１の使用者に付与された電子メールアドレス「ichiro@abc.co.jp」を、宛先を入力するためのテキストボックスに入力すると、入力された内容が表示部５０６に表示される。
【００６０】
携帯電話機５００−２の使用者が、操作部５０５を操作して図９に示した画面の「送信」ボタンをクリックする操作を行うと、操作内容を示す信号が操作部５０５から出力される。ＣＰＵ５１０では、この信号が入力されると、電子メール本文と、宛先として指定した電子メールアドレスと、不揮発性メモリ５０７に記憶されている携帯電話機５００−２の使用者に付与された電子メールアドレスとを内包する電子メールが生成される。この生成された電子メールは、通信部５０２から送信され、移動体通信網４００に設置されている、無線基地局、交換機、関門交換機、ゲートウェイサーバ４１０を介して、網内メールサーバ４３０へ送信される（ステップＳ１０２）。
【００６１】
網内メールサーバ４３０は、携帯電話機５００−２から送信された電子メールを受信すると、電子メールの宛先として指定されている電子メールアドレス「ichiro@abc.co.jp」を、受信した電子メールから抽出し、抽出した電子メールアドレスのドメイン名を参照する。網内メールサーバ４３０は、抽出した電子メールアドレスのドメイン名「abc.co.jp」と網内メールサーバ４３０のドメイン名「abc.co.jp」とが同じであるので、受信した電子メールを、抽出した電子メールアドレスで指定されるメールボックスに格納する。
【００６２】
網内メールサーバ４３０は、電子メールをメールボックスに格納すると、メール着信通知を生成する。このメール着信通知には、電子メールを送信した者を示す電子メールアドレス「jiro@abc.co.jp」が内包される。
【００６３】
網内メールサーバ４３０は、メール着信通知を生成した後、メール着信通知の送出先を特定するために、電子メールの宛先を示すメールアドレス「ichiro@abc.co.jp」をキーにして、加入者データベース４２０を検索する。網内メールサーバ４３０は、図２に示したデータの中から該当するメールアドレスを見つけると、このメールアドレスに対応づけて記憶されている、携帯電話機５００−１を識別するための端末識別子「ＭＳ０００１」を加入者データベース４２０から読み出す。
【００６４】
網内メールサーバ４３０は、端末識別子を加入者データベース４２０から読み出すと、この端末識別子で識別される携帯電話機５００−１を宛先として、生成したメール着信通知を送出する（ステップＳ１０３）。網内メールサーバ４３０から送出されたメール着信通知は、携帯電話機５００−１の通信部５０２が受け、通信部５０２から携帯電話機５００−１のＣＰＵ５１０へ送られる。
【００６５】
メール着信通知を受けた携帯電話機５００−１のＣＰＵ５１０では、メール着信通知に内包されている、電子メールの送信者を示す電子メールアドレス「jiro@abc.co.jp」が抽出される。ＣＰＵ５１０は、電子メールアドレスを抽出すると、抽出した電子メールアドレスをキーにして、不揮発性メモリ５０７のアドレス帳テーブルを検索する。ＣＰＵ５１０は、該当する電子メールアドレスを見つけると、電子メールアドレスに対応づけて記憶されている重要度を読み出す。携帯電話機５００−１の使用者は、電子メールアドレスが「jiro@abc.co.jp」である者の重要度を図６に示したように「３」に設定しているので、重要度として「３」が読み出される。
【００６６】
次に、ＣＰＵ５１０は、発呼時にＲＡＭ５０９に記憶させた、通話を行っている相手の電話番号「０＊０−５５５５−６６６６」を読み出し、読み出した電話番号をキーにして、不揮発性メモリ５０７に記憶されているアドレス帳テーブルを検索する。ＣＰＵ５１０は、該当する電話番号をアドレス帳テーブルに見つけると、電話番号に対応付けて記憶されている重要度を読み出す。携帯電話機５００−１の使用者は、電話番号が「０＊０−５５５５−６６６６」である者の重要度を図６に示したように「４」に設定しているので、重要度として「４」が読み出される。
【００６７】
次にＣＰＵ５１０は、通話中の相手の重要度と、電子メールを送信してきた者の重要度とを比較する。ＣＰＵ５１０は、通話中の相手の重要度は「４」であり、電子メールを送信してきた者の重要度は「３」であるので、通話中の相手の重要度が電子メールを送信してきた者の重要度より高いと判断する。ＣＰＵ５１０は、通話中の相手の重要度が、電子メールを送信してきた者の重要度より高いので、通話中に着信通知を受けた旨を報知すべきではないと判断し、着信通知を受けた旨の報知を行わない。
【００６８】
次に、ＰＣ１００の使用者が、携帯電話機５００−１の使用者へ伝えたいことと、携帯電話機５００−１の使用者に付与された電子メールアドレス「ichiro@abc.co.jp」とを操作部を用いて入力し、電子メールを送信する旨の指示を入力すると、電子メールがＰＣ１００からメールサーバ３００へ送信される（ステップＳ１０４）。
【００６９】
メールサーバ３００は、ＰＣ１００から送信された電子メールを受信すると、電子メールの宛先を示すメールアドレスのドメイン名「abc.co.jp」を参照し、電子メールの送信先を判断する。メールサーバ３００は、ＰＣ１００から送信された電子メールの宛先を示すメールアドレスのドメイン名が「abc.co.jp」であるので、ＰＣ１００から送信された電子メールをドメイン名が「abc.co.jp」である網内メールサーバ４３０へ送信する（ステップＳ１０５）。
【００７０】
網内メールサーバ４３０は、メールサーバ３００から送信された電子メールを受信すると、電子メールの宛先として指定されている電子メールアドレス「ichiro@abc.co.jp」を、受信した電子メールから抽出し、抽出した電子メールアドレスのドメイン名を参照する。網内メールサーバ４３０は、抽出した電子メールアドレスのドメイン名「abc.co.jp」と網内メールサーバ４３０のドメイン名「abc.co.jp」が同じであるので、受信した電子メールを、抽出した電子メールアドレスで指定されるメールボックスに格納する。
【００７１】
網内メールサーバ４３０は、電子メールをメールボックスに格納すると、メール着信通知を生成する。このメール着信通知には、電子メールを送信した者を示す電子メールアドレス「shiro@xyz.co.jp」が内包される。
【００７２】
網内メールサーバ４３０は、メール着信通知を生成した後、メール着信通知の送出先を特定するために、電子メールの宛先を示すメールアドレス「ichiro@abc.co.jp」をキーにして、加入者データベース４２０を検索する。網内メールサーバ４３０は、図２に示したデータの中から該当するメールアドレス「ichiro@abc.co.jp」を見つけると、このメールアドレスに対応づけて記憶されている、携帯電話機５００−１を識別するための端末識別子「ＭＳ０００１」を加入者データベース４２０から読み出す。
【００７３】
網内メールサーバ４３０は、端末識別子を加入者データベース４２０から読み出すと、この端末識別子で識別される携帯電話機５００−１を宛先として、生成されたメール着信通知を送出する（ステップＳ１０６）。網内メールサーバ４３０から送出されたメール着信通知は、携帯電話機５００−１の通信部５０２が受け、通信部５０２から携帯電話機５００−１のＣＰＵ５１０へ送られる。
【００７４】
メール着信通知を受けた携帯電話機５００−１のＣＰＵ５１０では、着信通知に内包されている、電子メールの送信者を示す電子メールアドレス「shiro@xyz.co.jp」が抽出される。ＣＰＵ５１０は、電子メールアドレスを抽出すると、抽出した電子メールアドレスをキーにして、不揮発性メモリ５０７のアドレス帳テーブルを検索する。ＣＰＵ５１０は、該当する電子メールアドレスを見つけると、電子メールアドレスに対応づけて記憶されている重要度を読み出す。携帯電話機５００−１の使用者は、電子メールアドレスが「shiro@xyz.co.jp」である者の重要度を図６に示したように「５」に設定しているので、重要度として「５」が読み出される。
【００７５】
次に、ＣＰＵ５１０は、発呼時にＲＡＭ５０９に記憶させた、通話を行っている相手の電話番号「０＊０−５５５５−６６６６」を読み出し、読み出した電話番号をキーにして、不揮発性メモリ５０７に記憶されているアドレス帳テーブルを検索する。ＣＰＵ５１０は、該当する電話番号をアドレス帳テーブルに見つけると、電話番号に対応付けて記憶されている重要度を読み出す。携帯電話機５００−１の使用者は、電話番号が「０＊０−５５５５−６６６６」である者の重要度を図６に示したように「４」に設定しているので、重要度として「４」が読み出される。
【００７６】
次にＣＰＵ５１０は、通話中の相手の重要度と、電子メールを送信してきた者の重要度とを比較する。ＣＰＵ５１０は、通話中の相手の重要度は「４」であり、電子メールを送信してきた者の重要度は「５」であるので、電子メールを送信してきた者の重要度が、通話中の相手の重要度より高いと判断する。ＣＰＵ５１０は、電子メールを送信してきた者の重要度が、通話中の相手の重要度より高いので、通話中に着信通知を受けた旨を報知すべきであると判断し、通話部５０４を制御して着信音を発生させ着信通知を受けた旨の報知を行う（ステップＳ１０７）。
【００７７】
以上説明したように本実施形態によれば、通話中に電子メールを送信してきた者が、通話中の相手より重要である場合には、通話中に電子メールが届いたことが着信音により報知されるので、携帯電話機５００の使用者は、通話中であっても重要な者から電子メールが送信されたことを知ることが可能となる。また、通話中の相手が電子メールを送信してきた者より重要である場合には、通話中に電子メールが届いたことは着信音により報知されないので、重要な通話が着信音により妨げられなくなる。
【００７８】
［３．変形例］
上述した実施形態に、例えば時計など、時刻を得るための時刻取得手段や、例えばＧＰＳ（Global Positioning System）など、携帯電話機５００の現在位置を取得する位置取得手段を設け、図１１や図１２に例示したように、アドレス帳テーブルの重要度フィールドを時間帯や位置によって区分けし、時間帯や携帯電話機の位置によって、通話相手や電子メールの送信者の重要度を変えられるようにしてもよい。
【００７９】
上述した実施形態では、重要度を予め設定しておくようにしているが、通話中にテンキーなどのキーを操作することにより、電話番号に対応づけてテンキーで指示された重要度をアドレス帳テーブルに格納できるようにしてもよい。
【００８０】
通話相手の重要度が低く設定されていても、通話中にテンキーなどのキーを操作することにより、通話中に一時的に通話相手の重要度をあげられるようにしてもよい。このような態様によれば、通話の内容に応じて通話相手の重要度を変えられるようになる。
【００８１】
上述した実施形態では、電子メールが届いたことを報知しなかった場合は、通話が終了しても、電子メールが届いたことが報知されないが、通話終了後に電子メールが届いたことが報知するようにしてもよい。
【００８２】
上述した実施形態では、アドレス帳テーブルを携帯電話機５００に持たせているが、アドレス帳テーブルを網内メールサーバ４３０に記憶させるようにし、網内メールサーバ４３０が、着信通知の送出先となる携帯電話機５００が通話に使用されているか着信通知を送出しようとする際に知り得るようにし、携帯電話機５００が通話に使用されていると知り得た場合は、着信通知の送出先となる携帯電話機５００と回線接続されている電話機の使用者の電話番号を取得できるようにしてもよい。メールサーバが、取得した電話番号と受信した電子メールとアドレス帳テーブルとを用いて着信通知を送出するか判断できるようにすれば、上述した実施形態と同様の効果が得られる。
【００８３】
上述した実施形態では、携帯電話機５００が着信通知を受ける場合を例にしているが、本発明は上述した実施形態に限定されるものではない。近年、インターネットに接続されたパーソナルコンピュータ同士で、ＶｏＩＰ（Voice over Internet Protocol）を用いて音声データを送受信し、通話を行うことが可能となっている。本発明は、携帯電話機だけでなく、ＶｏＩＰを用いて通話を行うパーソナルコンピュータに適用してもよい。
【００８４】
移動体通信網４００および携帯電話機５００は、ＩＭＴ−２０００に準拠した通信方式に対応したものに限定されるものではない。携帯電話機および移動体通信網は、マルチコールサービスを実現できる通信方式であれば、他の通信方式であってもよい。
【００８５】
上述した実施形態では、携帯電話機５００にて実行されるプログラムは、ＲＯＭ５０８に記憶されているが、ＲＯＭ５０８をフラッシュＲＯＭなどの読み書き可能な記録媒体に替えてもよい。携帯電話機５００にて実行されるプログラムをＣＤ−ＲＯＭ（Compact Disk Read Only Memory）などの記録媒体にて提供し、ＣＤ−ＲＯＭドライブを有するパーソナルコンピュータにて記録されたプログラムを読み出し、パーソナルコンピュータと携帯電話機とケーブルで接続し、読み出したプログラムを携帯電話機にインストールさせるようにしてもよい。
【００８６】
ＩＭＴ−２０００に準拠した携帯電話機には、携帯電話機に着脱可能なＵＩＭ（User Identity Module）という、携帯電話機の使用者の契約者データを記録したＩＣカードが使用される。携帯電話機５００の端末識別子や、携帯電話機５００の使用者に付与された電子メールアドレスは、ＲＯＭや不揮発性メモリに替えてこのＵＩＭに記憶させるようにしてもよい。
【００８７】
上述した実施形態では、網内メールサーバ４３０は、電子メールをメールボックスに格納した際に電子メールがメールボックスに格納されたことを知らせるメール着信通知を携帯電話機５００へ送出しているが、メール着信通知に替えて電子メールを携帯電話機５００へ送信するようにしてもよい。
【００８８】
上述した実施形態では、通話相手や電子メールの送信元として人間を想定しているが、通話相手や電子メールの送信元は、人間に限定されるものではない。電話番号で識別される相手は、例えば留守番電話機能を有する電話機やコンピュータなどであってもよい。また、電子メールアドレスで識別される相手は人間に限定されず、メーリングリストなどを送信するコンピュータ装置であってもよい。
【図面の簡単な説明】
【００８９】
【図１】本発明の実施形態に係わる通信システムの全体構成を例示する図である。
【図２】本発明の実施形態に係わる加入者データベースに記憶されている加入契約者のデータを例示する図である。
【図３】本発明の実施形態に係わる携帯電話機のハードウェア構成を例示する図である。
【図４】アドレス帳プログラムを起動した際に表示される画面を例示する図である。
【図５】アドレス帳プログラムを実行した時に表示される、アドレス帳データにデータを登録するための画面を例示する図である。
【図６】アドレス帳テーブルに格納されたデータを例示する図である。
【図７】本発明の実施形態に係わる携帯電話機がメール着信通知を受けた時の処理の流れを例示するフローチャートである。
【図８】本発明の実施形態に係わる携帯電話機にて実行される電子メールプログラムが起動された時に表示される画面を例示する図である。
【図９】電子メールプログラムを実行した時に表示される、電子メールを作成するための画面を例示する図である。
【図１０】本発明の動作例を説明するための動作シーケンス図である。
【図１１】本発明の変形例に係わる、アドレス帳テーブルの構成を例示する図である。
【図１２】本発明の変形例に係わる、アドレス帳テーブルの構成を例示する図である。
【符号の説明】
【００９０】
１００・・・パーソナルコンピュータ、２００・・・インターネット、３００・・・メールサーバ、４００・・・移動体通信網、４１０・・・ゲートウェイサーバ、４２０・・・加入者データベース、４３０・・・網内メールサーバ、４３１・・・記憶部、５００−１、５００−２、５００−３・・・携帯電話機、５０１・・・バス、５０２・・・通信部、５０３・・・アンテナ、５０４・・・通話部、５０５・・・操作部、５０６・・・表示部、５０７・・・不揮発性メモリ、５０８・・・ＲＯＭ、５０９・・・ＲＡＭ、５１０・・・ＣＰＵ。
【図１】
2005175832.tif 000003
【図２】
2005175832.tif 000004
【図３】
2005175832.tif 000005
【図４】
2005175832.tif 000006
【図５】
2005175832.tif 000007
【図６】
2005175832.tif 000008
【図７】
2005175832.tif 000009
【図８】
2005175832.tif 000010
【図９】
2005175832.tif 000011
【図１０】
2005175832.tif 000012
【図１１】
2005175832.tif 000013
【図１２】
2005175832.tif 000014